(57)【要約】【課題】端子をハウジングから離脱させる際に、損傷が生じることを防止できつつ、作業性を向上することができるコネクタを提供する。【解決手段】ハウジング３と、ハウジング３に設けられ端子５が収容される複数の端子収容孔７と、端子収容孔７に連通されたスペーサ収容孔９と、スペーサ収容孔９に挿入され端子５を係止するスペーサ１１とを備えたコネクタ１において、スペーサ１１に、撓み可能に設けられ端子５を仮係止する仮係止部１３と、仮係止部１３とスペーサ１１の挿入方向に対向して設けられ端子５を本係止する本係止部１５とを設け、スペーサ１１のスペーサ収容孔９に対する配置位置が、仮係止位置と本係止位置との間に位置して仮係止部１３と本係止部１５とを端子５に対して非干渉とさせる中間位置を有した。【選択図】図５
2015090787.tif 000002
【特許請求の範囲】
【請求項１】
ハウジングと、このハウジングの長さ方向に沿って設けられ端子が収容される複数の端子収容孔と、前記ハウジングの高さ方向に沿って設けられ前記端子収容孔に連通されたスペーサ収容孔と、このスペーサ収容孔に挿入され前記端子を係止するスペーサとを備えたコネクタであって、
前記スペーサには、撓み可能に設けられ前記端子を仮係止する仮係止部と、この仮係止部と前記スペーサの挿入方向に対向して設けられ前記端子を本係止する本係止部とが設けられ、
前記スペーサの前記スペーサ収容孔に対する配置位置は、前記端子を前記端子収容孔に収容可能として前記仮係止部で前記端子を係止する仮係止位置と、前記スペーサを前記スペーサ収容孔に完全に挿入した状態で前記本係止部で前記端子を係止する本係止位置と、前記仮係止位置と前記本係止位置との間に位置して前記仮係止部と前記本係止部とを前記端子に対して非干渉とさせる中間位置とを有することを特徴とするコネクタ。
【請求項２】
請求項１記載のコネクタであって、
前記仮係止部と前記本係止部との間は、前記端子の挿入方向と直交する方向の長さ以上に設定されていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングの長さ方向に沿って設けられ端子が収容される複数の端子収容孔と、ハウジングの高さ方向に沿って設けられ端子収容孔に連通されたスペーサ収容孔としての開口と、この開口に挿入され端子を係止するスペーサとしてのリヤホルダとを備えたものが知られている（例えば、特許文献１参照）。
【０００３】
このコネクタでは、端子収容孔内に端子を仮係止する仮係止部としての可撓係止片が撓み可能に設けられ、リヤホルダに端子を本係止する本係止部としての端子係止突起が設けられ、可撓係止片を端子に係止することによって端子を端子収容孔に対して仮係止とし、開口にリヤホルダを挿入することによって端子係止突起を端子に係止して本係止とし、端子の端子収容孔からの抜け止めを行っている。
【先行技術文献】
【特許文献】
【０００４】
【特許文献１】特開平５−２２６０２５号公報
【発明の概要】
【発明が解決しようとする課題】
【０００５】
しかしながら、上記特許文献１のようなコネクタでは、端子収容孔内に仮係止部が設けられているので、端子をハウジングから離脱させる場合、スペーサの本係止部による係止を解除した後、治具によって仮係止部による係止を解除しなければならなかった。
【０００６】
このような治具による係止の解除では、治具によってハウジングや仮係止部、或いは端子に損傷が生じる恐れがあった。加えて、複数の端子の係止を解除させるには、端子を１つずつ治具によって係止を解除しなければならず、作業性が低下していた。
【０００７】
そこで、この発明は、端子をハウジングから離脱させる際に、損傷が生じることを防止できつつ、作業性を向上することができるコネクタの提供を目的としている。
【課題を解決するための手段】
【０００８】
請求項１記載の発明は、ハウジングと、このハウジングの長さ方向に沿って設けられ端子が収容される複数の端子収容孔と、前記ハウジングの高さ方向に沿って設けられ前記端子収容孔に連通されたスペーサ収容孔と、このスペーサ収容孔に挿入され前記端子を係止するスペーサとを備えたコネクタであって、前記スペーサには、撓み可能に設けられ前記端子を仮係止する仮係止部と、この仮係止部と前記スペーサの挿入方向に対向して設けられ前記端子を本係止する本係止部とが設けられ、前記スペーサの前記スペーサ収容孔に対する配置位置は、前記端子を前記端子収容孔に収容可能として前記仮係止部で前記端子を係止する仮係止位置と、前記スペーサを前記スペーサ収容孔に完全に挿入した状態で前記本係止部で前記端子を係止する本係止位置と、前記仮係止位置と前記本係止位置との間に位置して前記仮係止部と前記本係止部とを前記端子に対して非干渉とさせる中間位置とを有することを特徴とする。
【０００９】
このコネクタでは、スペーサのスペーサ収容孔に対する配置位置が中間位置であるとき、仮係止部と本係止部とを端子に対して非干渉とさせるので、治具を用いて仮係止部を変位させる必要がなく、端子をハウジングから離脱させることができる。加えて、端子を１つずつ治具によって係止を解除する必要がない。
【００１０】
従って、このようなコネクタでは、端子をハウジングから離脱させる際に、治具を用いる必要がないので、損傷が生じることを防止できつつ、作業性を向上することができる。
【００１１】
請求項２記載の発明は、請求項１記載のコネクタであって、前記仮係止部と前記本係止部との間は、前記端子の挿入方向と直交する方向の長さ以上に設定されていることを特徴とする。
【００１２】
このコネクタでは、仮係止部と本係止部との間が、端子の挿入方向と直交する方向の長さ以上に設定されているので、スペーサのスペーサ収容孔に対する配置位置が中間位置であるとき、仮係止部と本係止部とが端子に干渉することを確実に防止することができる。
【発明の効果】
【００１３】
本発明によれば、端子をハウジングから離脱させる際に、損傷が生じることを防止できつつ、作業性を向上することができるコネクタを提供することができるという効果を奏する。
【図面の簡単な説明】
【００１４】
【図１】本発明の実施の形態に係るコネクタの分解斜視図である。
【図２】本発明の実施の形態に係るコネクタのハウジングに端子を収容するときの断面図である。
【図３】（ａ）は本発明の実施の形態に係るコネクタのスペーサの仮係止位置における断面図である。（ｂ）は図３（ａ）の要部拡大図である。
【図４】（ａ）は本発明の実施の形態に係るコネクタのスペーサの本係止位置における断面図である。（ｂ）は図４（ａ）の要部拡大図である。
【図５】（ａ）は本発明の実施の形態に係るコネクタのスペーサの中間位置における断面図である。（ｂ）は図５（ａ）の要部拡大図である。
【発明を実施するための形態】
【００１５】
図１〜図５を用いて本発明の実施の形態に係るコネクタについて説明する。
【００１６】
本実施の形態に係るコネクタ１は、ハウジング３と、このハウジング３の長さ方向に沿って設けられ端子５が収容される複数の端子収容孔７と、ハウジング３の高さ方向に沿って設けられ端子収容孔７に連通されたスペーサ収容孔９と、このスペーサ収容孔９に挿入され端子５を係止するスペーサ１１とを備えている。
【００１７】
また、スペーサ１１には、撓み可能に設けられ端子５を仮係止する仮係止部１３と、この仮係止部１３とスペーサ１１の挿入方向に対向して設けられ端子５を本係止する本係止部１５とが設けられている。
【００１８】
そして、スペーサ１１のスペーサ収容孔９に対する配置位置は、端子５を端子収容孔７に収容可能として仮係止部１３で端子５を係止する仮係止位置と、スペーサ１１をスペーサ収容孔９に完全に挿入した状態で本係止部１５で端子５を係止する本係止位置と、仮係止位置と本係止位置との間に位置して仮係止部１３と本係止部１５とを端子５に対して非干渉とさせる中間位置とを有する。
【００１９】
また、仮係止部１３と本係止部１５との間は、端子５の挿入方向と直交する方向の長さ以上に設定されている。
【００２０】
図１〜図５に示すように、ハウジング３は、合成樹脂などの絶縁性材料からなり、直方体状に形成されている。このハウジング３は、合成樹脂などの絶縁性材料からなり、ハウジング３より大きな直方体状に形成されたハウジングカバー１７内に収容される。このようなハウジング３には、長さ方向に沿って複数の端子収容孔７が設けられている。
【００２１】
複数の端子収容孔７は、それぞれが高さ方向に複数段重ねられ、幅方向に複数列配置されている。この端子収容孔７は、ハウジング３の長さ方向のハウジングカバー１７の内部側が開口され、この開口からハウジングカバー１７を挿通した端子５が挿入されて収容される。
【００２２】
端子５は、金属などの導電性材料からなり、電源や機器などに接続された電線１９の端末部に電気的に接続され、箱状の接続部２１を有する雌型端子となっている。この端子５は、ハウジングカバー１７の底部に設けられた貫通孔を挿通した後、ハウジング３の端子収容孔７の開口側から端子収容孔７内に収容される。このような端子５を収容する端子収容孔７は、スペーサ収容孔９に連通されている。
【００２３】
スペーサ収容孔９は、ハウジング３の高さ方向に沿って設けられ、複数の端子収容孔７にそれぞれ連通されている。このスペーサ収容孔９には、ハウジング３の高さ方向の一面側に設けられた開口からスペーサ１１が挿入される。
【００２４】
スペーサ１１は、合成樹脂などの絶縁性材料からなり、複数の端子収容孔７と対応する位置に、厚さ方向に貫通するように、複数の孔部２３が設けられている。この孔部２３の径は、端子収容孔７の径より大きく設定されている。
【００２５】
このスペーサ１１には、孔部２３内に、撓み可能に設けられ端子５の接続部２１を仮係止する仮係止部１３と、この仮係止部１３とスペーサ１１のスペーサ収容孔９への挿入方向に対向して設けられ端子５の接続部２１を本係止する本係止部１５とが設けられている。
【００２６】
この仮係止部１３と本係止部１５との間は、端子５の挿入方向と直交する方向の長さ、すなわち端子５の箱状の接続部２１の高さ以上に設定されている。このため、仮係止部１３と本係止部１５との間に端子５の接続部２１が位置している場合には、仮係止部１３と本係止部１５とが端子５に干渉することがない。
【００２７】
このようなスペーサ１１は、ハウジング３のスペーサ収容孔９に対する配置位置が、仮係止位置と、本係止位置と、中間位置との３段階に設定されている。なお、各位置におけるスペーサ収容孔９に対するスペーサ１１の保持は、スペーサ収容孔９とスペーサ１１とに設けられた図示外の係合手段によって行われる。
【００２８】
スペーサ１１の仮係止位置では、図３に示すように、仮係止部１３が端子５の接続部２１と干渉する位置に配置され、本係止部１５が端子５の接続部２１と干渉しない位置に配置される。
【００２９】
このスペーサ１１の仮係止位置で端子５を端子収容孔７に挿入することにより、図２に示すように、端子５の接続部２１が撓み可能な仮係止部１３を変位させながら収容され、端子５が正規位置に位置することにより、図３に示すように、仮係止部１３が復元して端子５の接続部２１を係止する仮係止状態となる。
【００３０】
スペーサ１１の本係止位置では、図４に示すように、スペーサ１１が仮係止位置からスペーサ収容孔９内に完全に挿入され、仮係止部１３が端子５の接続部２１と干渉しない位置に配置され、本係止部１５が端子５の接続部２１を係止する。
【００３１】
この本係止部１５が端子５の接続部２１を係止した状態では、本係止部１５が変位することがなく、端子５の端子収容孔７からの抜けが防止された本係止状態となる。
【００３２】
スペーサ１１の中間位置は、図５に示すように、スペーサ１１のスペーサ収容孔９に対する挿入位置が仮係止位置と本係止位置との間に設定され、仮係止部１３と本係止部１５とが共に端子５の接続部２１と干渉しない位置に配置される。
【００３３】
このため、端子５をハウジング３から離脱させる際には、スペーサ１１を中間位置に配置させ、端子５を端子収容孔７から引き抜くことにより、仮係止部１３と本係止部１５とが端子５と干渉せず、容易に端子５をハウジング３から離脱させることができ、作業性を向上することができる。
【００３４】
このようにスペーサ１１の中間位置を設定することにより、端子５をハウジング３から離脱させる際に、治具を用いる必要がなく、治具の使用によるハウジング３や仮係止部１３、或いは端子５の損傷を防止することができる。
【００３５】
このようなコネクタ１では、スペーサ１１のスペーサ収容孔９に対する配置位置が中間位置であるとき、仮係止部１３と本係止部１５とを端子５に対して非干渉とさせるので、治具を用いて仮係止部１３を変位させる必要がなく、端子５をハウジング３から離脱させることができる。加えて、端子５を１つずつ治具によって係止を解除する必要がない。
【００３６】
従って、このようなコネクタ１では、端子５をハウジング３から離脱させる際に、治具を用いる必要がないので、損傷が生じることを防止できつつ、作業性を向上することができる。
【００３７】
また、仮係止部１３と本係止部１５との間は、端子５の挿入方向と直交する方向の長さ以上に設定されているので、スペーサ１１のスペーサ収容孔９に対する配置位置が中間位置であるとき、仮係止部１３と本係止部１５とが端子５に干渉することを確実に防止することができる。
【００３８】
なお、本発明の実施の形態に係るコネクタでは、スペーサ収容孔がハウジングの高さ方向に沿って設けられているが、これに限らず、スペーサ収容孔をハウジングの幅方向に沿って設けてもよい。
【００３９】
また、ハウジングは、ハウジングカバーに収容されているが、ハウジングをハウジングカバーに収容させなくともよい。
【符号の説明】
【００４０】
１…コネクタ
３…ハウジング
５…端子
７…端子収容孔
９…スペーサ収容孔
１１…スペーサ
１３…仮係止部
１５…本係止部
【図１】
2015090787.tif 000003
【図２】
2015090787.tif 000004
【図３】
2015090787.tif 000005
【図４】
2015090787.tif 000006
【図５】
2015090787.tif 000007